(57)【要約】サーバ装置(６００)の制御方法は、充電器(３００)より通信ネットワーク(５００)を介して蓄電池パック(２００)の利用状況を示す情報を受信するステップ（ａ）を備える。サーバ装置(６００)の制御方法は、蓄電池パック(２００)の利用状況が、蓄電池パック(２００)の利用促進のための利用条件、蓄電池パック(２００)の状態管理のための利用条件、及び、蓄電池パック(２００)の安全性を向上するための利用条件の少なくとも一つを満たすか否かの判定を行うステップ（ｂ）を備える。サーバ装置(６００)の制御方法は、蓄電池パック(２００)の利用状況が、上記判定に用いられた利用条件の少なくとも一つを満たさないとき、充電器(３００)の利用を停止させる信号を送信するステップ（ｃ）を備える。
2017134995.tif 000002
【特許請求の範囲】
【請求項１】
蓄電池パックを充電する充電器からネットワークを介して前記蓄電池パックの利用状況を示す情報を受信するステップ（ａ）と、
前記蓄電池パックの利用状況が、前記蓄電池パックの利用促進のための利用条件、前記蓄電池パックの状態管理のための利用条件、及び、前記蓄電池パックの安全性を向上するための利用条件の少なくとも一つを満たすか否かの判定を行うステップ（ｂ）と、
前記蓄電池パックの利用状況が、前記判定に用いられた利用条件の少なくとも一つを満たさないとき、前記充電器の利用を停止させる信号を送信するステップ（ｃ）とを備える、
サーバ装置の制御方法。
【請求項２】
前記ステップ（ｂ）では、前記蓄電池パックの利用状況が、前記蓄電池パックの利用促進のための利用条件を満たすか否かを判定し、
前記蓄電池パックの利用促進のための利用条件は、所定期間内に前記蓄電池パックの推奨使用量以上、前記蓄電池パックを使用することである、
請求項１に記載のサーバ装置の制御方法。
【請求項３】
前記ステップ（ｂ）では、前記蓄電池パックの利用状況が、前記蓄電池パックの利用促進のための利用条件を満たすか否かを判定し、
前記蓄電池パックの利用促進のための利用条件は、所定期間内に前記蓄電池パックの推奨充電回数以上、前記蓄電池パックが充電されることである、
請求項１に記載のサーバ装置の制御方法。
【請求項４】
前記ステップ（ｂ）では、前記蓄電池パックの利用状況が、前記蓄電池パックの状態管理のための利用条件を満たすか否かを判定し、
前記蓄電池パックの状態管理のための利用条件は、前記蓄電池パックの状態を示す情報が更新期限までに前記サーバ装置に送信されることである、
請求項１に記載のサーバ装置の制御方法。
【請求項５】
前記ステップ（ｂ）では、前記蓄電池パックの利用状況が、前記蓄電池パックの安全性を向上するための利用条件を満たすか否かを判定し、
前記蓄電池パックの安全性を向上するための利用条件は、前記蓄電池パックの温度が標準環境温度よりも低い所定温度以下であるときに前記蓄電池パックが充電された回数が所定回数以下であることである、
請求項１に記載のサーバ装置の制御方法。
【請求項６】
前記ステップ（ｂ）では、前記蓄電池パックの利用状況が、前記蓄電池パックの安全性を向上するための利用条件を満たすか否かを判定し、
前記蓄電池パックの安全性を向上するための利用条件は、前記蓄電池パックが受けた衝撃力に関する値が所定値以下であることである、
請求項１に記載のサーバ装置の制御方法。
【請求項７】
前記ステップ（ｂ）では、前記蓄電池パックの利用状況が、前記蓄電池パックの安全性を向上するための利用条件を満たすか否かを判定し、
前記蓄電池パックの安全性を向上するための利用条件は、前記蓄電池パックが受けた衝撃力に関する値が所定値以上となる回数が所定回数以下であることである、
請求項１に記載のサーバ装置の制御方法。
【請求項８】
前記充電器の利用を停止させる前に、前記蓄電池パックの利用者に警告情報を送信するステップ（ｄ）をさらに備える、
請求項１〜７のいずれか１項に記載のサーバ装置の制御方法。
【請求項９】
蓄電池パックを充電する充電器とネットワークを介して通信する通信器と、
前記通信器を介して受信した蓄電池パックの利用者の利用状況を示す情報を記憶する記憶器と、
前記蓄電池パックの利用状況が、前記蓄電池パックの利用促進のための利用条件、前記蓄電池パックの状態管理のための利用条件、及び、前記蓄電池パックの安全性を向上するための利用条件の少なくとも一つを満たさないとき、前記通信器を介して前記充電器に前記充電器の利用を停止させる信号を送信する制御器とを備える、
サーバ装置。
【発明の詳細な説明】
【技術分野】
【０００１】
本開示は、蓄電池パックの充電器と通信するサーバ装置の制御方法、及び、このようなサーバ装置に関する。
【背景技術】
【０００２】
従来、蓄電池パックを貸与するためのシステム及び装置等が提案されている。特許文献１に記載の電池レンタルシステムのサーバ、及び、特許文献２に記載の使用量設定装置は、その例である。
【先行技術文献】
【特許文献】
【０００３】
【特許文献１】特開２０１１−１１８６３８号公報
【特許文献２】特開２０１３−２３２１２９号公報
【発明の概要】
【発明が解決しようとする課題】
【０００４】
蓄電池パックは、常に適切に充電されるとは限られず、不適切に充電される可能性がある。【０００５】
上記事情を鑑み、例示的な実施の形態は、蓄電池パックの適切な充電を支援することができるサーバ装置の制御方法を提供する。
【課題を解決するための手段】
【０００６】
本開示の一態様に係るサーバ装置の制御装置は、蓄電池パックを充電する充電器からネットワークを介して前記蓄電池パックの利用状況を示す情報を受信するステップ（ａ）と、前記蓄電池パックの利用状況が、前記蓄電池パックの利用促進のための利用条件、前記蓄電池パックの状態管理のための利用条件、及び、前記蓄電池パックの安全性を向上するための利用条件の少なくとも一つを満たすか否かの判定を行うステップ（ｂ）と、前記蓄電池パックの利用状況が、前記判定に用いられた利用条件の少なくとも一つを満たさないとき、前記充電器の利用を停止させる信号を送信するステップ（ｃ）とを備える。【０００７】
なお、これらの包括的または具体的な態様は、システム、装置、方法、集積回路、コンピュータプログラムまたはコンピュータ読み取り可能なＣＤ−ＲＯＭなどの非一時的な記録媒体で実現されてもよく、システム、装置、方法、集積回路、コンピュータプログラム及び記録媒体の任意な組み合わせで実現されてもよい。
【発明の効果】
【０００８】
本開示の一態様に係るサーバ装置によって、蓄電池パックの適切な充電が支援される。
【図面の簡単な説明】
【０００９】
【図１】図１は、実施の形態に係る蓄電池管理システムの構成を示すブロック図である。
【図２】図２は、実施の形態に係る蓄電池管理システムの動作のシーケンス図である。
【図３】図３は、蓄電池パックの利用状況が利用条件を満たすかの判定のフローチャートである。
【図４】図４は、蓄電池パックの使用量に基づく判定を説明するための図である。
【図５】図５は、警告画像の第一の例を示す図である。
【図６】図６は、蓄電池パックの利用状況を示す情報の第一の例を示す図である。
【図７】図７は、蓄電池パックの利用状況を示す情報の第二の例を示す図である。
【図８】図８は、図７に示される蓄電池パックの利用状況を示す情報に含まれる更新期限を説明するための模式図である。
【図９】図９は、警告画像の第二の例を示す図である。
【図１０】図１０は、蓄電池パックの低温環境下における充電回数に基づく判定を説明するための図である。
【図１１】図１１は、警告画像の第三の例を示す図である。
【図１２】図１２は、蓄電池パックの利用状況を示す情報の第三の例を示す図である。
【図１３】図１３は、蓄電池パックに加わった衝撃力に基づく判定を説明するための図である。
【図１４】図１４は、蓄電池パックの利用状況を示す情報の第四の例を示す図である。
【図１５】図１５は、警告画像の第四の例を示す図である。
【発明を実施するための形態】
【００１０】
（本開示の基礎となった知見）
本発明者は、蓄電池パックの利用に関して、検討により課題を見出した。以下、具体的に説明する。
【００１１】
近年、蓄電池パックが用いられる電気機器が普及している。電動アシスト自転車は、その一例である。例えば、電気機器の利用者は、電気機器に用いられる蓄電池パックを購入し、購入した蓄電池パックを用いて電気機器を動作させる。最近では、電気機器の利用者が、電気機器に用いられる蓄電池パックを借り、借りた蓄電池パックを用いて電気機器を動作させることを可能にするための蓄電池パックの貸与システムも検討され始めている。このような貸与システムでは、蓄電池パックに加えて、蓄電池パックの充電器を貸与することも考えられる。
【００１２】
例えば、このような貸与システムにおいて、蓄電池パックの借用者である利用者は、貸与された蓄電池パックを不適切に充電する可能性がある。
【００１３】
そこで、本開示の一態様に係るサーバ装置の制御方法は、蓄電池パックを充電する充電器からネットワークを介して前記蓄電池パックの利用状況を示す情報を受信するステップ（ａ）と、前記蓄電池パックの利用状況が、前記蓄電池パックの利用促進のための利用条件、前記蓄電池パックの状態管理のための利用条件、及び、前記蓄電池パックの安全性を向上するための利用条件の少なくとも一つを満たすか否かの判定を行うステップ（ｂ）と、前記蓄電池パックの利用状況が、前記判定に用いられた利用条件の少なくとも一つを満たさないとき、前記充電器の利用を停止させる信号を送信するステップ（ｃ）とを備える。
【００１４】
これにより、蓄電池パックの利用状況が利用条件を満たさないときには、充電器の利用が停止されるため、不適切な充電が抑制される。つまり、サーバ装置の制御方法は、蓄電池パックの適切な充電を支援することができる。
【００１５】
また、例えば、前記ステップ（ｂ）では、前記蓄電池パックの利用状況が、前記蓄電池パックの利用促進のための利用条件を満たすか否かを判定し、前記蓄電池パックの利用促進のための利用条件は、所定期間内に前記蓄電池パックの推奨使用量以上、前記蓄電池パックを使用することであってもよい。
【００１６】
これにより、サーバ装置の制御方法は、所定期間内に推奨使用量以上使用されていない蓄電池パックの充電を抑制することができる。したがって、サーバ装置の制御方法は、利用者の蓄電池パックの利用を促進することができる。
【００１７】
また、例えば、前記ステップ（ｂ）では、前記蓄電池パックの利用状況が、前記蓄電池パックの利用促進のための利用条件を満たすか否かを判定し、前記蓄電池パックの利用促進のための利用条件は、所定期間内に前記蓄電池パックの推奨充電回数以上、前記蓄電池パックが充電されることであってもよい。
【００１８】
これにより、サーバ装置の制御方法は、所定期間内に推奨充電回数以上充電されていない蓄電池パックの充電を抑制することができる。したがって、サーバ装置の制御方法は、利用者の蓄電池パックの利用を促進することができる。
【００１９】
また、例えば、前記ステップ（ｂ）では、前記蓄電池パックの利用状況が、前記蓄電池パックの状態管理のための利用条件を満たすか否かを判定し、前記蓄電池パックの状態管理のための利用条件は、前記蓄電池パックの状態を示す情報が更新期限までに前記サーバ装置に送信されることであってもよい。
【００２０】
これにより、サーバ装置の制御方法は、更新期限までに状態を示す情報がサーバ装置に送信されていない蓄電池パックの充電を抑制することができる。したがって、蓄電池パックの継続利用（充電）のために更新期限までに蓄電池パックの状態を示す情報をサーバ装置に送信することになる。これにより、蓄電池パックの状態管理が維持され、状態管理が適切に行われる。つまり、蓄電池パック２００の状態管理のための利用条件は、蓄電池パック２００の状態管理を維持するための利用条件とも言える。
【００２１】
また、例えば、前記ステップ（ｂ）では、前記蓄電池パックの利用状況が、前記蓄電池パックの安全性を向上するための利用条件を満たすか否かを判定し、前記蓄電池パックの安全性を向上するための利用条件は、前記蓄電池パックの温度が標準環境温度よりも低い所定温度以下であるときに前記蓄電池パックが充電された回数が所定回数以下であることであってもよい。
【００２２】
これにより、サーバ装置の制御方法は、温度が所定温度以下のときに充電された回数が所定回数よりも多い蓄電池パックの充電を抑制することができる。したがって、サーバ装置の制御方法は、蓄電池パックの安全性を向上することができる。
【００２３】
また、例えば、前記ステップ（ｂ）では、前記蓄電池パックの利用状況が、前記蓄電池パックの安全性を向上するための利用条件を満たすか否かを判定し、前記蓄電池パックの安全性を向上するための利用条件は、前記蓄電池パックが受けた衝撃力に関する値が所定値以下であることであってもよい。
【００２４】
これにより、サーバ装置の制御方法は、所定値以上の衝撃力が加わった蓄電池パックの充電を抑制することができる。したがって、サーバ装置の制御方法は、蓄電池パックの安全性を向上することができる。
【００２５】
また、例えば、前記ステップ（ｂ）では、前記蓄電池パックの利用状況が、前記蓄電池パックの安全性を向上するための利用条件を満たすか否かを判定し、前記蓄電池パックの安全性を向上するための利用条件は、前記蓄電池パックが受けた衝撃力に関する値が所定値以上となる回数が所定回数以下であることであってもよい。
【００２６】
これにより、サーバ装置の制御方法は、所定値以上の衝撃力が所定回数よりも多い回数加わった蓄電池パックの充電を抑制することができる。したがって、サーバ装置の制御方法は、蓄電池パックの安全性を向上することができる。
【００２７】
また、例えば、前記充電器の利用を停止させる前に、前記蓄電池パックの利用者に警告情報を送信するステップ（ｄ）をさらに備えてもよい。
【００２８】
これにより、サーバ装置の制御方法は、充電器の利用が停止される前に、利用者に警告を行うことができる。
【００２９】
本開示の一態様に係るサーバ装置は、蓄電池パックを充電する充電器とネットワークを介して通信する通信器と、前記通信器を介して受信した蓄電池パックの利用者の利用状況を示す情報を記憶する記憶器と、前記蓄電池パックの利用状況が、前記蓄電池パックの利用促進のための利用条件、前記蓄電池パックの状態管理のための利用条件、及び、前記蓄電池パックの安全性を向上するための利用条件の少なくとも一つを満たさないとき、前記通信器を介して前記充電器に前記充電器の利用を停止させる信号を送信する制御器とを備える。
【００３０】
これにより、蓄電池パックの利用状況が利用条件を満たさないときには、充電器の利用が停止されるため、不適切な充電が抑制される。つまり、サーバ装置は、蓄電池パックの適切な充電を支援することができる。
【００３１】
なお、これらの包括的または具体的な態様は、システム、装置、方法、集積回路、コンピュータプログラムまたはコンピュータ読み取り可能なＣＤ−ＲＯＭなどの非一時的な記録媒体で実現されてもよく、システム、装置、方法、集積回路、コンピュータプログラムまたは記録媒体の任意な組み合わせで実現されてもよい。例えば、上記包括的または具体的な態様は、サーバ装置の制御方法をコンピュータに実行させるためのプログラムとして実現されてもよいし、当該プログラムが記録された非一時的な記録媒体として実現されてもよい。
【００３２】
以下、実施の形態について、図面を参照しながら具体的に説明する。なお、以下で説明する実施の形態は、いずれも包括的または具体的な例を示すものである。以下の実施の形態で示される数値、形状、材料、構成要素、構成要素の配置位置及び接続形態、ステップ、ステップの順序などは、一例であり、本開示を限定する主旨ではない。また、以下の実施の形態における構成要素のうち、最上位概念を示す独立請求項に記載されていない構成要素については、任意の構成要素として説明される。
【００３３】
（実施の形態）
［全体構成］
図１は、実施の形態に係る蓄電池管理システムの構成を示すブロック図である。具体的には、図１において、蓄電池パック２００、充電器３００、ルータ４００、通信ネットワーク５００、サーバ装置６００、及び、情報端末７００が示されている。例えば、蓄電池管理システム１００は、これらの構成要素のうち、蓄電池パック２００、充電器３００、及び、サーバ装置６００を備える。
【００３４】
蓄電池管理システム１００は、蓄電池パック２００を管理するためのシステムである。蓄電池管理システム１００は、例えば、蓄電池パック２００及び充電器３００の貸与システムとして利用される。以下の実施の形態では、蓄電池パック２００及び充電器３００が利用者に貸与されるものとして説明が行われる。
【００３５】
［蓄電池パック］
まず、蓄電池パック２００について説明する。蓄電池パック２００は、充電及び放電の対象となる装置であって、電気エネルギーを蓄積するための装置である。例えば、蓄電池パック２００は、貸与業者から利用者に貸し出され、電動アシスト自転車等のような電気機器に着脱自在に接続される。そして、蓄電池パック２００が接続された電気機器は、蓄電池パック２００の放電によって得られる電力で動作する。また、蓄電池パック２００は、充電器３００に着脱自在に接続される。
【００３６】
また、蓄電池パック２００は、蓄電池２０１、検出器２０２、制御器２０３、記憶器２０４、通信器２０５、電力端子２０６、通信端子２０７、及び、電力端子２０８を備える。
【００３７】
蓄電池２０１は、電気エネルギーを蓄積するための構成要素であり、二次電池または充電式電池とも呼ばれる。蓄電池２０１は、セルでもよいし、素電池でもよいし、電池ブロックでもよいし、組電池でもよい。
【００３８】
検出器２０２は、蓄電池２０１の状態を検出するための構成要素である。例えば、検出器２０２は、蓄電池２０１の電圧及び温度等を検出する。また、検出器２０２は、蓄電池２０１の内部抵抗を検出してもよい。また、検出器２０２は、蓄電池パック２００に加わった衝撃力の大きさ及び衝撃力が加わった回数等を検出する。検出器２０２は、具体的には、例えば、電圧計、温度計、及び加速度センサ等で構成される。
【００３９】
制御器２０３は、蓄電池パック２００の動作を制御するための構成要素である。例えば、制御器２０３は、蓄電池２０１の充電及び放電を制御する。また、制御器２０３は、検出器２０２によって検出された蓄電池２０１の電圧及び温度、蓄電池パック２００に加わった衝撃力の大きさ、及び、衝撃力が加わった回数などを記憶器２０４に記憶する。蓄電池２０１の電圧、及び、内部抵抗などは、例えば、蓄電池パック２００の状態を示す情報として記憶される。蓄電池２０１の温度は、例えば、温度情報として記憶される。蓄電池パック２００に加わった衝撃力の大きさ、及び、衝撃力が加わった回数は、衝撃関連情報として記憶される。衝撃力の大きさは、衝撃力に関する値の一例である。
【００４０】
また、制御器２０３は、通信器２０５を制御することにより、充電器３００と通信を行う。制御器２０３は、具体的には、蓄電池パック２００が充電器３００に接続されたときに、記憶器２０４に記憶された情報を、通信器２０５を用いて充電器３００に送信する。蓄電池パック２００が充電器３００に接続されたか否かは、通信端子２０７を介して通信器２０５が充電器３００の通信器３０１から通知を受信したか否かなどに基づいて検出可能である。
【００４１】
制御器２０３は、具体的には、プロセッサ、マイクロコンピュータ、または専用回路などにより実現されるが、制御機能を備えるものであればよい。制御器２０３は、例えば、演算処理器（図示せず）と、制御プログラムを記憶する記憶器（図示せず）とを備えてもよい。演算処理器としては、ＭＰＵ及びＣＰＵが例示される。記憶器としては、メモリが例示される。制御器２０３は、集中制御を行う単独の制御器で構成されていてもよく、互いに協働して分散制御を行う複数の制御器２０３で構成されていてもよい。
【００４２】
記憶器２０４は、蓄電池パック２００のＩＤ、及び、蓄電池パック２００の状態を示す情報、温度情報、及び衝撃関連情報などを記憶する。記憶器２０４は、具体的には、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）などの半導体メモリであるが、制御器２０３に記憶器が含まれるときには、当該記憶器として実現されてもよい。
【００４３】
通信器２０５は、充電器３００と通信するための構成要素である。通信器２０５は、具体的には、通信回路または通信モジュールなどである。通信器２０５には、通信端子２０７が含まれてもよい。
【００４４】
通信器２０５は、具体的には、制御器２０３の制御に基づいて、蓄電池パック２００が充電器３００に接続されたときに、記憶器２０４に記憶された情報を、充電器３００の通信器３０１に送信する。通信器２０５と通信器３０１との間の通信は、通信端子２０７と通信端子３０７とが接続された状態で行われる。通信器２０５と通信器３０１との間の通信方式は、特に限定されない。
【００４５】
通信端子２０７は、蓄電池パック２００を充電する充電器３００の通信端子３０７に、電気的及び機械的に接続される通信端子である。通信端子２０７は、蓄電池パック２００から放電される電力を消費する電気機器に電気的及び機械的に接続されてもよい。
【００４６】
電力端子２０６及び電力端子２０８のそれぞれは、蓄電池パック２００を充電する充電器３００に電気的及び機械的に接続される電力端子である。電力端子２０６は、充電器３００の電力端子３０６に接続され、電力端子２０８は、充電器３００の電力端子３０８に接続される。電力端子２０６及び電力端子２０８のそれぞれは、蓄電池パック２００から放電される電力を消費する電気機器に接続されてもよい。蓄電池２０１の充電及び放電は、電力端子２０６が電力端子３０６に接続され、かつ、電力端子２０８が電力端子３０８に接続された状態で行われる。
【００４７】
具体的には、電力端子２０６、及び電力端子２０８のうち、一方が、プラスの電力端子であり、他方がマイナスの電力端子である。例えば、電力端子２０６がプラスの電力端子であって、電力端子２０８がマイナスの電力端子であってもよい。
【００４８】
［充電器］
次に、充電器３００について説明する。充電器３００は、蓄電池パック２００を充電する装置である。充電器３００は、例えば、蓄電池パック２００の貸与業者から利用者に貸し出され、利用者が蓄電池パック２００の充電に利用する。充電器３００は、１つの蓄電池パック２００のみを充電可能な構成であってもよいし、複数の蓄電池パック２００を同時に充電可能な構成であってもよい。充電器３００は、通信器３０１、制御器３０２、電源器３０３、プラグ３０５、電力端子３０６、通信端子３０７、及び、電力端子３０８を備える。
【００４９】
通信器３０１は、蓄電池パック２００及びサーバ装置６００等と通信を行うための構成要素である。通信器３０１は、具体的には、通信回路または通信モジュールなどである。通信器３０１には、通信端子３０７が含まれてもよい。
【００５０】
まず、通信器３０１と蓄電池パック２００との通信について説明する。
【００５１】
通信器３０１は、蓄電池パック２００が充電器３００に接続されると、蓄電池パック２００と通信を行う。通信器３０１は、具体的には、蓄電池パック２００の通信端子２０７が充電器３００の通信端子３０７に接続された状態で、通信器２０５と通信を行う。通信器３０１と通信器２０５との通信において、通信器３０１は、蓄電池パック２００の記憶器２０４に記憶された情報を受信する。
【００５２】
次に、通信器３０１とサーバ装置６００との通信について説明する。
【００５３】
例えば、通信器３０１は、通信ネットワーク５００等を介して、サーバ装置６００と通信する。通信器３０１は、ルータ４００及び通信ネットワーク５００を介して、サーバ装置６００と通信してもよいし、ルータ４００及び情報端末７００を介して、サーバ装置６００と通信してもよい。通信器３０１とルータ４００との間の通信は、例えば、無線通信であるが、有線通信であってもよい。また、通信器３０１は、ルータ４００を介さず、サーバ装置６００と通信してもよいし、情報端末７００を介してサーバ装置６００と通信してもよい。また、充電器３００とサーバ装置６００との通信において、通信器３０１を用いずに充電器３００に別途設けられた通信器を用いてもよい。
【００５４】
例えば、通信器３０１は、サーバ装置６００へ通信ネットワーク５００等を介して、蓄電池パック２００の利用状況を示す情報を送信する。また、通信器３０１は、サーバ装置６００から、蓄電池パック２００に対する充電を許可する充電許可信号を受信する。また、通信器３０１は、サーバ装置６００から、蓄電池パック２００に対する充電を禁止する充電禁止信号を受信する。通信器３０１が充電器３００の利用を停止させるための情報を受信すると、制御器３０２は、蓄電池パック２００が充電器３００に接続されても充電を行わない。
【００５５】
通信端子３０７は、蓄電池パック２００の通信端子２０７に、電気的及び機械的に接続される通信端子である。
【００５６】
電力端子３０６及び電力端子３０８のそれぞれは、蓄電池パック２００に電気的及び機械的に接続される電力端子である。電力端子３０６は、電力端子２０６に接続され、電力端子３０８は、電力端子２０８に接続される。蓄電池２０１の充電及び放電は、電力端子３０６が電力端子２０６に接続され、かつ、電力端子３０８が電力端子２０８に接続された状態で行われる。
【００５７】
電力端子３０６及び電力端子３０８のうち、一方は、プラスの電力端子であり、他方は、マイナスの電力端子である。
【００５８】
制御器３０２は、通信器３０１の制御、蓄電池パック２００の充電制御などを行う構成要素である。制御器３０２は、具体的には、プロセッサ、マイクロコンピュータ、または専用回路などにより実現されるが、制御機能を備えるものであればよい。制御器３０２は、例えば、演算処理器（図示せず）と、制御プログラムを記憶する記憶器（図示せず）とを備えてもよい。演算処理器としては、ＭＰＵ及びＣＰＵが例示される。記憶器としては、メモリが例示される。制御器３０２は、集中制御を行う単独の制御器で構成されていてもよく、互いに協働して分散制御を行う複数の制御器３０２で構成されていてもよい。
【００５９】
電源器３０３は、蓄電池パック２００の充電に用いられる構成要素である。電源器３０３は、電力系統などの外部電源から供給される電力を用いて、充電器３００に接続されている蓄電池パック２００を充電する充電回路を含む。電源器３０３は、具体的には、電力系統からプラグ３０５を介して供給される交流電力を、蓄電池パック２００の充電に適した直流電力に変換する。電源器３０３は、例えば、ＡＣ／ＤＣコンバータ、ＤＣ／ＡＣインバータ、及び、ＤＣ／ＤＣコンバータなどにより実現される。
【００６０】
プラグ３０５は、受電器の一例であって、コンセントなどの電力供給器に着脱自在に接続される。
【００６１】
［ルータ］
ルータ４００は、通信を中継するための装置である。ルータ４００は、充電器３００と通信可能である。ルータ４００は、インターネット等の通信ネットワーク５００を介してサーバ装置６００と通信可能である。そして、ルータ４００は、充電器３００と通信し、かつ、通信ネットワーク５００を介してサーバ装置６００と通信することにより、充電器３００とサーバ装置６００との間の通信を中継する。ルータ４００は、例えば、充電器３００と無線通信を行い、サーバ装置６００と有線通信を行う。
【００６２】
また、ルータ４００は、情報端末７００と通信が可能である。ルータ４００は、例えば、情報端末と無線通信を行う。
【００６３】
［通信ネットワーク］
通信ネットワーク５００は、充電器３００、ルータ４００、サーバ装置６００、及び、情報端末７００が互いに通信するための通信ネットワークである。通信ネットワーク５００は、インターネットのような汎用のネットワークでもよいし、蓄電池管理システム１００の専用のネットワークでもよい。
【００６４】
［サーバ装置］
サーバ装置６００は、蓄電池パック２００の適切な利用を支援するためのサーバ装置である。サーバ装置６００は、コンピュータ等のような情報処理装置でもよい。また、サーバ装置６００は、複数の装置で構成されていてもよい。
【００６５】
サーバ装置６００は、具体的には、通信器６０１と、制御器６０２と、記憶器６０３とを備える。
【００６６】
通信器６０１は、充電器３００及び情報端末７００と通信を行うための構成要素である。通信器６０１は、具体的には、通信回路または通信モジュールなどである。通信器６０１は、本開示の通信器の一例である。
【００６７】
通信器６０１は、インターネット等の通信ネットワーク５００を介して、ルータ４００と通信する。そして、通信器６０１は、ルータ４００等を介して、充電器３００と通信する。通信器６０１と、ルータ４００との間の通信は、例えば、有線通信であるが、無線通信であってもよい。また、通信器６０１は、ルータ４００等を介さず、直接、充電器３００と通信してもよい。
【００６８】
通信器６０１は、具体的には、通信器６０１は、蓄電池パック２００を充電する充電器３００より通信ネットワーク５００を介して蓄電池パック２００の利用状況を示す情報を受信する。
【００６９】
また、通信器６０１は、充電器３００に充電器３００の利用を停止させる信号を送信する。このような信号は、蓄電池パック２００の利用状況が、蓄電池パック２００の利用促進のための利用条件、蓄電池パック２００の状態管理のための利用条件、及び、蓄電池パック２００の安全性を向上するための利用条件の少なくとも一つを満たさないときに送信される。
【００７０】
また、通信器６０１は、充電器３００に充電器３００の利用を許可する信号を送信する。このような信号は、蓄電池パック２００の利用状況が、判定に用いられた利用条件を全て満たすときに送信される。
【００７１】
一方、通信器６０１は、通信ネットワーク５００を介して情報端末７００とも通信が可能である。通信器６０１と通信ネットワーク５００との間の通信は、例えば、有線通信であるが、無線通信であってもよいし、有線通信と無線通信との両方であってもよい。情報端末７００と通信ネットワーク５００との間の通信は、無線通信であり、例えば、第３世代移動通信システム（３Ｇ）、第４世代移動通信システム（４Ｇ）、または、ＬＴＥ（登録商標）等のような移動通信システムで利用される通信規格が用いられる。
【００７２】
通信器６０１は、具体的には、充電器３００の利用を停止させる前に、蓄電池パック２００の利用者が有する情報端末７００に警告情報を送信する。
【００７３】
制御器６０２は、通信器６０１によって受信された蓄電池パック２００の利用状況が、蓄電池パック２００の利用促進のための利用条件、蓄電池パック２００の状態管理のための利用条件、及び、蓄電池パック２００の安全性を向上するための利用条件の少なくとも一つを満たすか否かの判定を行う。また、制御器６０２は、蓄電池パック２００の利用状況が、上記判定に用いられた利用条件の少なくとも一つを満たさないとき、通信器６０１を介して充電器３００に充電器３００の利用を停止させる信号を送信する。つまり、制御器６０２は、通信器６０１の制御を行う。制御器６０２は、本開示の制御器の一例である。
【００７４】
制御器６０２は、具体的には、プロセッサ、マイクロコンピュータ、または専用回路などにより実現されるが、制御機能を備えるものであればよい。制御器６０２は、例えば、演算処理器（図示せず）と、制御プログラムを記憶する記憶器（図示せず）とを備えてもよい。演算処理器としては、ＭＰＵ及びＣＰＵが例示される。記憶器としては、メモリが例示される。制御器２０３は、集中制御を行う単独の制御器で構成されていてもよく、互いに協働して分散制御を行う複数の制御器６０２で構成されていてもよい。
【００７５】
記憶器６０３は、蓄電池パック２００の利用促進のための利用条件、蓄電池パック２００の状態管理のための利用条件、及び、蓄電池パック２００の安全性を向上するための利用条件を記憶する。また、記憶器６０３は、通信器６０１を介して受信した蓄電池パック２００の利用状況を示す情報を記憶する。記憶器６０３への蓄電池パック２００の利用状況を示す情報の記憶及び当該情報の更新は、制御器６０２によって行われる。記憶器６０３は、本開示の記憶器の一例である。
【００７６】
記憶器６０３は、具体的には、ＥＥＰＲＯＭなどの半導体メモリ、または、ＨＤＤ（Ｈａｒｄ  Ｄｉｓｋ  Ｄｒｉｖｅ）などである。記憶器６０３は、制御器６０２に記憶器が含まれるときには、当該記憶器として実現されてもよい。また、記憶器６０３は、サーバ装置６００とは別体の記憶装置として実現されてもよい。
【００７７】
［情報端末］
情報端末７００は、ルータ４００及びサーバ装置６００と通信可能な装置である。情報端末７００は、具体的には、蓄電池パック２００の利用者が有する情報端末である。情報端末７００は、コンピュータ等のような情報処理装置であってもよいし、スマーフォンまたはタブレット端末などの携帯端末でもよい。これらの通信には、有線通信が適用されてもよいし、無線通信が適用されてもよい。
【００７８】
例えば、情報端末７００とサーバ装置６００との通信は、通信ネットワーク５００を介して行われる。情報端末７００と通信ネットワーク５００との間の通信は、例えば、無線通信である。この無線通信には、例えば、第３世代移動通信システム（３Ｇ）、第４世代移動通信システム（４Ｇ）、または、ＬＴＥ（登録商標）等のような移動通信システムで利用される通信規格が用いられる。
【００７９】
また、情報端末７００とルータ４００との間の通信は、例えば、無線通信であるが、有線通信であってもよい。なお、ルータ４００に代えて、情報端末７００が充電器３００とサーバ装置６００との通信を中継してもよい。
【００８０】
情報端末７００は、サーバ装置６００から警告情報を受信する。警告情報は、警告画像を表示するための表示情報である。情報端末７００は、サーバ装置６００から通信ネットワーク５００を介して警告情報を受信してもよいし、通信ネットワーク５００及びルータ４００を介して警告情報を受信してもよい。
【００８１】
実施の形態１では、情報端末７００は、表示器を有し、表示器には、サーバ装置６００から送信される警告情報に基づいて、蓄電池パック２００の使い方の是正を利用者に促す警告画像が表示される。
【００８２】
［全体動作］
次に、蓄電池管理システム１００の動作について説明する。図２は、蓄電池管理システム１００の動作のシーケンス図である。
【００８３】
まず、ユーザによって充電器３００に蓄電池パック２００が接続される（Ｓ１１）。具体的には、電力端子２０６が電力端子３０６に、通信端子２０７が通信端子３０７に、電力端子２０８が電力端子３０８にそれぞれ接続される。そうすると、電力端子３０６と電力端子３０８との間に電圧が印加される（Ｓ１２）。
【００８４】
充電器３００の制御器３０２は、電力端子３０６と電力端子３０８との間に電圧が印加されたことを検出することにより、蓄電池パック２００が接続されたことを認識する（Ｓ１３）。制御器３０２は、蓄電池パック２００が接続されたことを認識すると、通信器３０１に、蓄電池パック２００の接続が完了したことを通知させる（Ｓ１４）。この通知は、通信器２０５に送信される。
【００８５】
蓄電池パック２００の通信器２０５が通知を受信すると（Ｓ１５）、制御器２０３は、蓄電池パック２００の電池情報を、通信器２０５に送信させる（Ｓ１６）。電池情報には、少なくとも蓄電池パック２００のＩＤが含まれればよい。電池情報には、温度情報及び衝撃関連情報などが含まれてもよく、このような情報は、ステップＳ２０で蓄電池パック２００の利用状況を示す情報として必要な場合に、電池情報に含まれればよい。
【００８６】
充電器３００の通信器３０１は、通信器２０５から電池情報を受信すると（Ｓ１７）、受信した電池情報をサーバ装置６００の通信器６０１に送信する（Ｓ１８）。
【００８７】
サーバ装置６００の通信器６０１が通信器２０５から電池情報を受信すると、制御器６０２は、記憶器６０３に記憶された利用状況を示す情報、つまり、蓄電池パック２００の利用状況を確認する（Ｓ１９）。温度情報及び衝撃関連情報などの蓄電池パック２００の利用状況を示す情報が電池情報に含まれる場合には、記憶器６０３に記憶された蓄電池パック２００の利用状況を示す情報を更新する。
【００８８】
そして、制御器６０２は、電池情報に含まれるＩＤを有する蓄電池パック２００の利用状況が利用条件を満たすかの判定を行う（Ｓ２０）。制御器６０２は、利用条件を満たすと判定した場合、通信器６０１に充電許可信号を送信させる（Ｓ２１）。制御器６０２は、利用条件を満たさないと判定した場合、通信器６０１に充電禁止信号を送信させる（Ｓ２１）。充電禁止信号は、充電器３００の利用を停止させる信号の一例である。なお、蓄電池パック２００の利用状況が利用条件を満たすか否かの判定の詳細については後述する。
【００８９】
通信器６０１によって送信された充電許可信号または充電禁止信号は、充電器３００の通信器３０１によって受信される（Ｓ２２）。制御器３０２は、ステップＳ２２において受信された信号が充電許可信号であるか、充電禁止信号であるかの判定を行う（Ｓ２３）。
【００９０】
ステップＳ２２において受信された信号が充電許可信号である場合（Ｓ２４でＹｅｓ）、制御器３０２は、蓄電池パック２００を充電する。制御器３０２は、具体的には、制御器２０３に通電開始の通知を行うことにより、制御器２０３と協働して、電源器３０３と蓄電池２０１とを電気的に接続し、蓄電池２０１を充電する。
【００９１】
一方、ステップＳ２２において受信された信号が、充電許可信号ではなく充電禁止信号である場合（Ｓ２４でＮｏ）、制御器３０２は、蓄電池パック２００の充電を行わない。言い換えると、利用者の充電器３００の利用が停止される。
【００９２】
なお、上記例では、通信器２０５から送信された蓄電池パック２００の利用状況を示す情報が、充電器３００を介してサーバ装置６００の通信器６０１で受信されるが、これに限定されない。例えば、蓄電池パック２００の利用状況を示す情報が、充電器３００を介さずに、通信器２０５からサーバ装置６００の通信器６０１に送信されてもよいし、通信器２０５から情報端末７００を介してサーバ装置６００の通信器６０１に送信されてもよい。
【００９３】
［蓄電池パックの利用状況が利用条件を満たすかの判定］
次に、上記ステップＳ２０の判定について説明する。図３は、蓄電池パック２００の利用状況が利用条件を満たすかの判定のフローチャートである。
【００９４】
まず、サーバ装置６００の制御器６０２は、蓄電池パック２００の利用状況が、蓄電池パック２００の利用促進のための利用条件を満たすか否かを判定する（Ｓ３１）。蓄電池パック２００の利用促進のための利用条件の具体例については後述する。
【００９５】
制御器６０２は、蓄電池パック２００の利用状況が、蓄電池パック２００の利用促進のための利用条件を満たさないと判定した場合（Ｓ３１でＮｏ）、通信器６０１に充電禁止信号を送信させる（Ｓ３２）。充電禁止信号は、充電器３００の通信器３０１によって受信される。
【００９６】
一方、制御器６０２は、蓄電池パック２００の利用状況が、蓄電池パック２００の利用促進のための利用条件を満たすと判定した場合（Ｓ３１でＹｅｓ）、蓄電池パック２００の利用状況が、蓄電池パック２００の状態管理のための利用条件を満たすか否かを判定する（Ｓ３３）。蓄電池パック２００の利用促進のための利用条件の具体例については後述する。
【００９７】
制御器６０２は、蓄電池パック２００の利用状況が、蓄電池パック２００の状態管理のための利用条件を満たさないと判定した場合（Ｓ３３でＮｏ）、通信器６０１に充電禁止信号を送信させる（Ｓ３２）。
【００９８】
一方、制御器６０２は、蓄電池パック２００の利用状況が、蓄電池パック２００の状態管理のための利用条件を満たすと判定した場合（Ｓ３３でＹｅｓ）、蓄電池パック２００の利用状況が、蓄電池パック２００の安全性向上のための利用条件を満たすか否かを判定する（Ｓ３４）。蓄電池パック２００の安全性向上のための利用条件の具体例については後述する。
【００９９】
制御器６０２は、蓄電池パック２００の利用状況が、蓄電池パック２００の安全性向上のための利用条件を満たさないと判定した場合（Ｓ３４でＮｏ）、通信器６０１に充電禁止信号を送信させる（Ｓ３２）。
【０１００】
一方、制御器６０２は、蓄電池パック２００の利用状況が、蓄電池パック２００の安全性向上のための利用条件を満たすと判定した場合（Ｓ３４でＹｅｓ）、利用者に警告すべき事項があるかを判定する（Ｓ３５）。警告すべき事項の具体例については後述する。
【０１０１】
制御器６０２は、利用者に警告すべき事項がないと判定した場合（Ｓ３５でＮｏ）、通信器６０１に、充電許可信号を送信させる（Ｓ３６）。充電許可信号は、充電器３００の通信器３０１によって受信される。
【０１０２】
一方、制御器６０２は、利用者に警告すべき事項があると判定した場合（Ｓ３５でＹｅｓ）、通信器６０１に、警告画像を表示するための表示情報である警告情報を送信させる（Ｓ３７）。警告情報は、情報端末７００に送信され、情報端末７００によって受信される。そして、制御器６０２は、通信器６０１に充電許可信号を送信させる（Ｓ３６）。
【０１０３】
なお、上記図３のフローチャートにおいては３つの利用条件についての判定が行われているが、３つの利用条件が判定されることは必須ではなく、３つの利用条件のうちの少なくとも１つの判定が行われればよい。つまり、制御器６０２は、蓄電池パック２００の利用状況が、蓄電池パック２００の利用促進のための利用条件、蓄電池パック２００の状態管理のための利用条件、及び、蓄電池パック２００の安全性を向上するための利用条件の少なくとも一つを満たすか否かの判定を行えばよい。そして、通信器６０１は、蓄電池パック２００の利用状況が、判定に用いられた利用条件の少なくとも一つを満たさないとき、充電器３００の利用を停止させる信号を送信すればよい。
【０１０４】
また、３つの利用条件の判定順序は、特に限定されない。また、ステップＳ３５の警告すべき事項の有無の判定は、必須ではない。
【０１０５】
［蓄電池パックの利用促進のための利用条件の具体例］
蓄電池パック２００が貸与される場合、例えば、契約によって所定期間の推奨使用量が定められる。所定期間は、例えば、１カ月である。このような場合、蓄電池パック２００の利用促進のための利用条件は、所定期間内に蓄電池パック２００の推奨使用量以上、蓄電池パック２００を使用することであってもよい。図４は、蓄電池パック２００の使用量に基づく判定を説明するための図である。
【０１０６】
上記図３のステップＳ３１において蓄電池パック２００の使用量に基づく判定が行われる場合、充電器３００の通信器３０１は、蓄電池２０１の充電が終わるごとに、充電量を示す情報をサーバ装置６００に送信する。充電量を示す情報は、蓄電池パック２００の利用状況を示す情報の一例である。なお、充電量を示す情報には蓄電池パック２００のＩＤが含まれる。
【０１０７】
サーバ装置６００の通信器６０１が充電量を示す情報を受信すると、制御器６０２は、受信された充電量を蓄電池パック２００の使用量とみなして記憶器６０３に記憶された蓄電池パック２００の利用状況を示す情報を更新する。そうすると、図４に示されるように、制御器６０２は、毎月の蓄電池パック２００の使用量を算出することができる。
【０１０８】
典型的には、制御器６０２は、１カ月間の蓄電池パック２００の使用量が推奨使用量未満となった場合に、通信器６０１に充電禁止信号を送信させる。この結果、充電器３００の利用が停止される。しかしながら、例えば、蓄電池パック２００の使用量が３カ月連続で推奨使用量未満となった場合に充電器３００の利用が停止されてもよい。この場合、図４に示されるように、蓄電池パック２００の使用量が２カ月連続で推奨使用量未満となった直後に、警告情報が送信されるとよい。つまり、通信器６０１は、充電器３００の利用を停止させる前に、蓄電池パック２００の利用者の情報端末７００に警告情報を送信してもよい。この結果、情報端末７００の表示器には、警告画像が表示される。図５は、警告画像の一例を示す図である。
【０１０９】
図５に示されるような警告画像により、蓄電池管理システム１００は、利用者に蓄電池パック２００の使用を促すことができる。
【０１１０】
蓄電池パック２００の使用量に基づく判定が行われる場合、記憶器６０３には図６に示されるような蓄電池パック２００の利用状況を示す情報が記憶される。図６は、記憶器６０３に記憶される蓄電池パック２００の利用状況を示す情報の一例を示す図である。
【０１１１】
図６の例では、当月の蓄電池パック２００の使用量のみが記憶され、前月までに何ヶ月間、蓄電池パックの使用量が推奨利用量未満となったかが継続期間として記憶されている。ここでの使用量は、当月の累積使用量を意味する。使用量は、Ａｈ単位で記憶されてもよいし、推奨使用量に対する割合として記憶されてもよいし、図６のように両方記憶されてもよい。なお、図６の例では、推奨使用量は、５Ａｈである。
【０１１２】
このような当月の使用量と、継続期間とは、蓄電池パック２００のＩＤごとに記憶される。また、蓄電池パック２００のＩＤには、会員ＩＤが対応付けられている。なお、会員ＩＤは、蓄電池パック２００の貸与の契約時に利用者に割り当てられる、利用者を識別するためのＩＤである。
【０１１３】
図６の例では、ＩＤがＡＡＢＡ００００００２の蓄電池パック２００の使用量が２カ月連続で推奨使用量未満となっている。したがって、ＩＤがＡＡＢＡ００００００２の蓄電池パック２００の利用者の情報端末７００には、警告情報が送信されており、当月の蓄電池パック２００の使用量が推奨使用量を超えないと、利用者は、この蓄電池パック２００を充電できなくなる。
【０１１４】
以上説明したように、蓄電池パック２００の利用促進のための利用条件は、所定期間内に蓄電池パック２００の推奨使用量以上、蓄電池パック２００を使用することであってもよい。これにより、利用者の蓄電池パック２００の利用を促進することができる。
【０１１５】
なお、蓄電池パック２００の利用促進のための利用条件は、このような条件に限定されない。例えば、蓄電池パック２００の利用促進のための利用条件は、所定期間内に蓄電池パック２００の推奨充電回数以上、蓄電池パック２００が充電されることであってもよい。
【０１１６】
この場合、記憶器６０３には、蓄電池パック２００のＩＤごとに、充電回数が記憶される。制御器６０２は、例えば、蓄電池パック２００の充電終了時に、当該蓄電池パック２００の充電回数を示す情報を、利用状況を示す情報としてサーバ装置６００に送信する。充電回数を示す情報は、言い換えれば、記憶器６０３に記憶された充電回数をインクリメントするための情報であり、蓄電池パック２００のＩＤに対応付けられている。
【０１１７】
［蓄電池パックの状態管理のための利用条件の具体例］
例えば、サーバ装置６００が蓄電池パック２００の状態を管理するために、契約によって、蓄電池パック２００の状態を示す情報を更新期限までにサーバ装置６００に送信することが定められる場合がある。このような場合、蓄電池パック２００の状態管理のための利用条件は、蓄電池パック２００の状態を示す情報が更新期限までにサーバ装置６００に送信されることであってもよい。
【０１１８】
ここで、蓄電池パック２００の状態を示す情報は、例えば、上記図２のステップＳ１６において電池情報に含められる。なお、上記図１では図示されないが、蓄電池パック２００と情報端末７００とが直接、または、ルータ４００を介して通信可能な場合がある。このような場合、蓄電池パック２００の状態を示す情報は、ユーザが情報端末７００を操作することにより、蓄電池パック２００から情報端末７００を経由してサーバ装置６００に送信されてもよい。
【０１１９】
更新期限は、例えば、前回の更新から３ヶ月後に定められ、サーバ装置６００の制御器６０２は、記憶器６０３に記憶された蓄電池パック２００の利用状況を示す情報によって更新期限の管理を行う。図７は、蓄電池パック２００の利用状況を示す情報の一例を示す図である。図８は、図７に示される蓄電池パック２００の利用状況を示す情報に含まれる更新期限を説明するための模式図である。
【０１２０】
典型的には、制御器６０２は、一度更新期限が守られなかった場合に、通信器６０１に充電禁止信号を送信させる。この結果、充電器３００の利用が停止される。
【０１２１】
しかしながら、図７及び図８に示されるように、更新期限が３回守られなかった場合に、充電器３００の利用が停止されてもよい。図７のハッチングされたマス、及び、図８において「ＮＧ」と記載されたマスは、更新期限が守られなかったことを示す。また、図７において、「状態」の欄は、更新期限が守られなかった回数を示す。
【０１２２】
ここで、例えば、更新期限が２回守られなかった場合には、警告情報が送信されるとよい。つまり、通信器６０１は、充電器３００の利用を停止させる前に、蓄電池パック２００の利用者の情報端末７００に警告情報を送信してもよい。
【０１２３】
図７の例では、ＩＤがＡＡＢＡ００００００３の蓄電池パック２００の状態を示す情報の更新期限が累積で２回守られていない。したがって、ＩＤがＡＡＢＡ００００００３の蓄電池パック２００の利用者が有する情報端末７００には、警告情報が送信されており、情報端末７００の表示器には、警告画像が表示される。図９は、警告画像の一例を示す図である。
【０１２４】
ＩＤがＡＡＢＡ００００００３の蓄電池パック２００の状態を示す情報の更新期限がもう一度守られなかった場合には、利用者は、この蓄電池パック２００を充電できなくなる。
【０１２５】
更新期限が守られなかった累積回数は、所定の条件を満たすと０にリセットされてもよい。例えば、５回連続で更新期限が守られた場合に、更新期限が守られなかった累積回数がリセットされてもよい。図７の例では、ＩＤがＡＡＢＡ００００００５の蓄電池パック２００の状態を示す情報の更新期限がもう一度守られると、更新期限が守られなかった累積回数が０にリセットされる。
【０１２６】
以上説明したように、蓄電池パック２００の状態管理のための利用条件は、蓄電池パック２００の状態を示す情報が更新期限までにサーバ装置６００に送信されることであってもよい。
【０１２７】
これにより、蓄電池パック２００の状態が適切に管理されていない蓄電池パック２００の充電を抑制することができ、破損事故などの発生を抑制することができる。
【０１２８】
なお、蓄電池パック２００の状態管理のための利用条件は、このような条件に限定されない。例えば、蓄電池パック２００の状態を管理するために、契約によって、蓄電池パック２００を返却期限までにサービスセンタに持ち込むことが定められる場合がある。このような場合、蓄電池パック２００の状態を示す情報は、蓄電池パック２００の返却時に、通信器２０５から送信された蓄電池パック２００の状態を示す情報を受信する受信器（図示せず）を介してサーバ装置６００に取得される。このとき、蓄電池パック２００の状態管理のための利用条件は、蓄電池パック２００が返却されたことを示す情報が返却期限までにサーバ装置６００に送信されることであってもよい。蓄電池パック２００が返却されたことを示す情報は、例えば、サービスセンタに設置された情報端末から送信される。
【０１２９】
［蓄電池パックの安全性を向上するための利用条件の具体例１］
蓄電池パック２００は、低温で充電が行われると、破損などの事故が発生しやすくなる場合がある。例えば、蓄電池２０１がリチウムイオン電池であるような場合、低温で充電が行われると、リチウム金属の析出が促進され、破損などの事故が発生しやすくなることがある。
【０１３０】
このような場合、蓄電池パック２００の安全性を向上するための利用条件は、蓄電池パック２００の温度が標準環境温度よりも低い所定温度以下であるときに蓄電池パック２００が充電された回数が所定回数以下であることであってもよい。標準環境温度は、例えば、２５℃であり、所定温度は、例えば、５℃であり、所定回数は、例えば、１０回である。図１０は、蓄電池パック２００の低温環境下における充電回数に基づく判定を説明するための図である。
【０１３１】
図１０の例では、蓄電池パック２００の温度が０℃よりも大きく、かつ、５℃以下となる低温環境下において充電が行われた回数が、１０回以上となった場合に充電器３００の利用が停止される。なお、蓄電池パック２００及び充電器３００は、蓄電池２０１の温度が０℃以下であるときには、充電が不可能な仕様を有する。蓄電池パック２００及び充電器３００が、このような仕様でない場合、蓄電池パック２００の温度が５℃以下であるときに充電が行われた回数が１０回以上となったときに充電器３００の利用が停止される。
【０１３２】
この場合、例えば、図１０に示されるように、低温環境下で蓄電池パック２００の充電が行われた回数が、７回以上９回以下であるときに、警告情報が送信されるとよい。つまり、通信器６０１は、充電器３００の利用を停止させる前に、蓄電池パック２００の利用者の情報端末７００に警告情報を送信してもよい。この結果、情報端末７００の表示器には、警告画像が表示される。図１１は、警告画像の一例を示す図である。
【０１３３】
図１１に示されるような警告画像により、蓄電池管理システム１００は、利用者に蓄電池パック２００の低温環境下での充電を抑制させることができる。つまり、蓄電池パック２００の安全性が向上される。
【０１３４】
上記図３のステップＳ３４において蓄電池パック２００の低温環境下での充電回数に基づく判定が行われる場合、ステップＳ１６において送信される電池情報には、蓄電池パック２００が充電器３００に接続されたときの蓄電池２０１の温度情報が含まれる。なお、蓄電池２０１の温度は、検出器２０２によって検出される。
【０１３５】
充電器３００の通信器３０１は、蓄電池２０１の充電が終わるごとに、充電が完了したことを示す情報をサーバ装置６００に送信する。そうすると、制御器６０２は、ステップＳ１６において受信された温度情報により定められる温度を充電開始温度とする充電が１回行われたことを認識することができ、このような情報を、利用状況を示す情報として、記憶器６０３に記憶する。図１２は、記憶器６０３に記憶される蓄電池パック２００の利用状況を示す情報の一例を示す図である。
【０１３６】
図１２の例では、直近の充電開始時の温度と、低温環境下における累積充電回数とが記憶される。このような充電開始時の温度と、低温環境下における累積充電回数とは、蓄電池パック２００のＩＤごとに記憶される。また、蓄電池パック２００のＩＤには、会員ＩＤが対応付けられている。
【０１３７】
図１２の例では、ＩＤがＡＡＢＡ００００００３の蓄電池パック２００の低温環境下における累積充電回数が９回となっている。したがって、ＩＤがＡＡＢＡ００００００３の蓄電池パック２００の利用者の情報端末７００には、警告情報が送信されており、もう一度低温環境下における充電が行われると、利用者は、この蓄電池パック２００を充電できなくなる。
【０１３８】
以上説明したように、蓄電池パック２００の安全性を向上するための利用条件は、蓄電池パック２００の温度が標準環境温度よりも低い所定温度以下であるときに蓄電池パック２００が充電された回数が所定回数以下であることであってもよい。
【０１３９】
これにより、蓄電池パック２００の低温環境下での蓄電池パック２００の充電を抑制することができ、破損事故などの発生を抑制することができる。
【０１４０】
なお、以上の説明では、充電開始時の温度に基づいて低温環境下であるか否かの判定が行われているが、充電終了時の温度に基づいて低温環境下であるか否かの判定が行われてもよいし、充電中の平均温度などが用いられてもよい。この場合、温度情報が必要に応じて蓄電池パック２００から提供されるとよい。また、充電中に一度でも温度が５℃以下となったときに、低温環境下であると判定されてもよい。この場合、例えば、充電中に一度でも温度が５℃以下となったことを示す情報が、充電器３００からサーバ装置６００に送信されるとよい。
【０１４１】
また、高温環境下における充電が危険な場合もある。したがって、蓄電池パック２００の安全性を向上するための利用条件は、蓄電池パック２００の温度が標準環境温度よりも高い所定温度以上であるときに蓄電池パック２００が充電された回数が所定回数以下であることであってもよい。
【０１４２】
［蓄電池パックの安全性を向上するための利用条件の具体例２］
なお、蓄電池パック２００の安全性を向上するための利用条件は、上記のような条件に限定されない。
【０１４３】
例えば、第一所定値を超える大きな衝撃力（以下、大衝撃とも記載する）が１度でも加わった蓄電池パック２００を充電することは、危険である可能性がある。そこで、蓄電池パック２００の安全性を向上するための利用条件は、蓄電池パック２００が受けた衝撃力に関する値が第一所定値以下であることであってもよい。衝撃力に関する値は、例えば、衝撃力の大きさを示す値である。第一所定値は、実験的または経験的に適宜定められればよく、特に限定されない。
【０１４４】
また、第一所定値よりも小さい衝撃力であっても、第二所定値以上の中程度の衝撃力（以下、中衝撃とも記載する）が多数回加わった蓄電池パック２００を充電することは、危険である可能性がある。そこで、蓄電池パック２００の安全性を向上するための利用条件は、蓄電池パック２００が受けた衝撃力に関する値が第二所定値以上となる回数が所定回数以下であることであってもよい。第二所定値は、実験的または経験的に適宜定められればよく、特に限定されない。所定回数は、例えば、１０００回である。図１３は、蓄電池パック２００に加わった衝撃力に基づく判定を説明するための図である。
【０１４５】
図１３の縦軸は、蓄電池パック２００に加わった衝撃力を示す。このような衝撃力は、検出器２０２によって検出され、上記図２のステップＳ１６において、衝撃関連情報として、電池情報に含めて送信される。なお、蓄電池パック２００の記憶器２０４に記憶された衝撃関連情報は、例えば、サーバ装置６００の記憶器６０３に当該衝撃関連情報の内容が反映されるごとにリセットされる。
【０１４６】
また、上記図２のステップＳ１９においては、このような衝撃関連情報に基づき、記憶器６０３に記憶された利用状況を示す情報が更新される。図１４は、記憶器６０３に記憶される蓄電池パック２００の利用状況を示す情報の一例を示す図である。
【０１４７】
図１４の例では、大衝撃の回数と、中衝撃の回数とが、蓄電池パック２００のＩＤごとに記憶される。また、蓄電池パック２００のＩＤには、会員ＩＤが対応付けられている。
【０１４８】
図１４の例では、ＩＤがＡＡＢＡ００００００３の蓄電池パック２００には大衝撃が１回加わっている。したがって、利用者は、この蓄電池パック２００の充電を行うことができない。
【０１４９】
また、図１４の例では、中衝撃が１０００回以上加わった場合に、充電器３００の利用が停止される。この場合、例えば、中衝撃が９００回以上加わった場合に、警告情報が送信されるとよい。つまり、通信器６０１は、充電器３００の利用を停止させる前に、蓄電池パック２００の利用者の情報端末７００に警告情報を送信してもよい。この結果、情報端末７００の表示器には、警告画像が表示される。図１５は、警告画像の一例を示す図である。
【０１５０】
図１５に示されるような警告画像により、蓄電池管理システム１００は、利用者に蓄電池パック２００に衝撃力を加えることを控えさせることができる。つまり、蓄電池パック２００の安全性が向上される。
【０１５１】
図１４の例では、ＩＤがＡＡＢＡ００００００５の蓄電池パック２００には中衝撃が９００回加わっている。したがって、ＩＤがＡＡＢＡ００００００５の蓄電池パック２００の利用者が有する情報端末７００には、警告情報が送信されており、図１５に示されるような警告画像が表示される。ＩＤがＡＡＢＡ００００００５の蓄電池パック２００にさらに１００回の中衝撃が加わると、利用者は、この蓄電池パック２００を充電できなくなる。
【０１５２】
以上説明したように、蓄電池パック２００の安全性を向上するための利用条件は、蓄電池パック２００が受けた衝撃力に関する値が第一所定値以下であることであってもよい。また、蓄電池パック２００の安全性を向上するための利用条件は、蓄電池パック２００が受けた衝撃力に関する値が第二所定値以上となる回数が所定回数以下であることであってもよい。
【０１５３】
これにより、強い衝撃力または多くの衝撃力が加わった蓄電池パック２００の充電を抑制することができ、破損事故などの発生を抑制することができる。
【０１５４】
（その他の実施の形態）
以上のように、本出願において開示する技術の例示として、実施の形態を説明した。しかしながら、本開示における技術は、これに限定されず、適宜、変更、置き換え、付加、省略などを行った実施の形態にも適用可能である。また、上記実施の形態で説明した各構成要素を組み合わせて、新たな実施の形態とすることも可能である。
【０１５５】
また、上記実施の形態で説明された装置間の通信は、無線通信であってもよいし、有線通信であってもよい。また、通信規格についても、特に限定されない。装置間の無線通信には、Ｂｌｕｅｔｏｏｔｈ（登録商標）に代表される近距離無線通信の国際規格であるＩＥＥＥ８０２．１５．１規格が用いられてもよい。また、装置間の無線通信には、無線ＬＡＮ（Ｌｏｃａｌ  Ａｒｅａ  Ｎｅｔｗｏｒｋ）またはＷｉ−Ｆｉ（登録商標）に代表される無線通信の国際規格であるＩＥＥＥ８０２．１１規格が用いられてもよい。また、装置間の有線通信には、有線ＬＡＮに代表される有線通信の国際規格であるＩＥＥＥ８０２．３規格が用いられてもよい。
【０１５６】
また、上記実施の形態において、各構成要素は、専用のハードウェアで構成されるか、各構成要素に適したソフトウェアプログラムを実行することによって実現されてもよい。各構成要素は、ＣＰＵまたはプロセッサなどのプログラム実行器が、ハードディスクまたは半導体メモリなどの記録媒体に記録されたソフトウェアプログラムを読み出して実行することによって実現されてもよい。
【０１５７】
また、上記実施の形態において、各構成要素は、回路でもよい。複数の構成要素が、全体として１つの回路を構成してもよいし、それぞれ別々の回路を構成してもよい。また、回路は、それぞれ、汎用的な回路でもよいし、専用の回路でもよい。
【０１５８】
以上、一つまたは複数の態様に係るサーバ装置の制御方法、及び、サーバ装置について、実施の形態に基づいて説明したが、本開示は、この実施の形態に限定されるものではない。本開示の趣旨を逸脱しない限り、当業者が思いつく各種変形を本実施の形態に施したもの、及び異なる実施の形態における構成要素を組み合わせて構築される形態も、一つまたは複数の態様の範囲内に含まれてもよい。
【０１５９】
例えば、上記実施の形態において、特定の構成要素が実行する処理を特定の構成要素の代わりに別の構成要素が実行してもよい。また、複数の処理の順序が変更されてもよいし、複数の処理が並行して実行されてもよい。
【産業上の利用可能性】
【０１６０】
本開示は、蓄電池パックの管理を行うサーバ装置に利用可能であり、蓄電池パックの貸与システム、及び、蓄電池パックの管理システム等に適用可能である。
【符号の説明】
【０１６１】
１００  蓄電池管理システム
２００  蓄電池パック
２０１  蓄電池
２０２  検出器
２０３、３０２、６０２  制御器
２０４、６０３  記憶器
２０５、３０１、６０１  通信器
２０６、２０８、３０６、３０８  電力端子
２０７、３０７  通信端子
３００  充電器
３０３  電源器
３０５  プラグ
４００  ルータ
５００  通信ネットワーク
６００  サーバ装置
７００  情報端末 
【図１】
2017134995.tif 000003
【図２】
2017134995.tif 000004
【図３】
2017134995.tif 000005
【図４】
2017134995.tif 000006
【図５】
2017134995.tif 000007
【図６】
2017134995.tif 000008
【図７】
2017134995.tif 000009
【図８】
2017134995.tif 000010
【図９】
2017134995.tif 000011
【図１０】
2017134995.tif 000012
【図１１】
2017134995.tif 000013
【図１２】
2017134995.tif 000014
【図１３】
2017134995.tif 000015
【図１４】
2017134995.tif 000016
【図１５】
2017134995.tif 000017
【国際調査報告】
2017134995.tif 000018
2017134995.tif 000019
2017134995.tif 000020
2017134995.tif 000021